(57)【要約】【課題】  本発明は、新たに部品を追加することなく、装飾部材に照射される光の反射を抑えて視認性あるいは商品性の低下を抑制し得る計器装置を提供することを目的とする。【解決手段】  指針４の作動領域を取り巻くように表示板６の前面側に配置される光反射性のリング状の装飾部材１３が配設され、その装飾部材１３は、視認者から正面視する表面側に設けられた目視側前面部１３ａと、表示板６に施された指標部５側に位置する内側立ち上がり壁部１３ｂと、指標部５側とは反対側に面した外側立ち上がり壁部１３ｃと、表示板６上に設置される載置面部１３ｄとからなり、内側立ち上がり壁部１３ｂが載置面部１３ｄと内側立ち上がり壁部１３ｂとのなす角度が鈍角に設定されていること特徴とする計器装置である。【選択図】  図４
2010085180.tif 000002
【特許請求の範囲】
【請求項１】
ケースに組み付けられる回路基板と、この回路基板あるいは前記ケースに組み付けられる計器本体と、この計器本体に設けられた駆動軸の先端側に装着される指針と、この指針によって指示される指標部を有する表示板と、前記指針の作動領域を取り巻くように前記表示板の前面側に配置される光反射性のリング状の装飾部材と、前記回路基板上に実装され、前記指針を発光照明する光源と、を備えた計器装置において、前記装飾部材は、視認者から正面視する表面側に設けられた目視側前面部と、前記指標部側に位置する内側立ち上がり壁部と、前記指標部側とは反対側に面した外側立ち上がり壁部と、前記表示板上に設置される載置面部とからなり、前記内側立ち上がり壁部が前記載置面部と前記内側立ち上がり壁部とのなす角度が鈍角に設定されていること特徴とする計器装置。
【請求項２】
ケースに組み付けられる回路基板と、この回路基板あるいは前記ケースに組み付けられる計器本体と、この計器本体に設けられた駆動軸の先端側に装着される指針と、この指針によって指示される指標部を有する表示板と、前記指針の作動領域を取り巻くように前記表示板の前面側に配置される光反射性のリング状の装飾部材と、前記回路基板上に実装され、前記表示板の背後側から前記指標部を透過照明する光源と、を備えた計器装置において、前記装飾部材は、視認者から正面視する表面側に設けられた目視側前面部と、前記指標部側に位置する内側立ち上がり壁部と、前記指標部側とは反対側に面した外側立ち上がり壁部と、前記表示板上に設置される載置面部とからなり、前記内側立ち上がり壁部が前記載置面部と前記内側立ち上がり壁部とのなす角度が鈍角に設定されていること特徴とする計器装置。
【請求項３】
ケースに組み付けられる回路基板と、この回路基板あるいは前記ケースに組み付けられる計器本体と、この計器本体に設けられた駆動軸の先端側に装着される指針と、この指針によって指示される指標部を有する表示板と、前記指針の作動領域を取り巻くように前記表示板の前面側に配置される光反射性のリング状の装飾部材と、前記回路基板上に実装され、前記表示板の前記指標部を透過照明する光源および前記指針を発光照明する光源と、を備えた計器装置において、前記装飾部材は、視認者から正面視する表面側に設けられた目視側前面部と、前記指標部側に位置する内側立ち上がり壁部と、前記指標部側とは反対側に面した外側立ち上がり壁部と、前記表示板上に設置される載置面部とからなり、前記内側立ち上がり壁部が前記載置面部と前記内側立ち上がり壁部とのなす角度が鈍角に設定されていること特徴とする計器装置。
【請求項４】
前記装飾部材には、前記目視側前面部と前記内側立ち上がり壁部との交点箇所に位置して前記目視側前面とほぼ同一平面上に鍔部が一体成形されていることを特徴とする請求項１乃至請求項３のいずれかに記載の計器装置。
【請求項５】
前記表示板の背面側には、前記表示板に所定の間隔を配して設けられた透孔から前記表示板上へ突出する凸目盛部を備えた導光部材が配置されるとともに、その凸目盛部は前記内側立ち上がり壁部に近接配置されていることを特徴とする請求項１乃至請求項４のいずれかに記載の計器装置。
【請求項６】
前記内側立ち上がり壁部の端面側からスリットが切り込み形成され、このスリットに前記凸目盛部の少なくとも一部が挿入配置されていることを特徴とする請求項５に記載の計器装置。
【請求項７】
前記表示板は、その表示板の板面上において前記指針が回動指示する領域である前記表示板の板面の中央部が凹み、前記表示板の板面の外周部が視認者側へと突出するように成形され、前記中央部と前記外周部との間を略垂直となる立ち壁部とによって繋がるように成形された段差状の前記表示板であって、前記立ち壁部と隣接して前記装飾部材が配設されていることを特徴とする請求項１乃至請求項６のいずれかに記載の計器装置。
【発明の詳細な説明】
【技術分野】
【０００１】
本発明は、たとえば自動車などに搭載される計器類を収納する計器装置に関し、特に計器装置における表示板上において表示領域の周囲に装飾部材を配設した計器装置に関するものである。
【背景技術】
【０００２】
従来、自動車やオートバイなどに装備される計器装置として、たとえば速度計，回転計，温度計などの計器本体からなる計器類や各種装置の状態を運転者に知らせるための警報装置などが合成樹脂製の計器ケース内に収納されている。この場合、計器本体の前面側には計器類や警報装置などを収納する計器ケースの前面開放側に指標部を施してなる表示板が配設され、前記計器類などに設けた指針の指示を表示板の指標部と対比判読することができるようにしている。このように構成された計器装置において、装飾性を高めたり、見映えを良好にするために表示板上の指標部を強調するように、指標部の周縁にほぼ沿って光沢を有する装飾部材が配設されている。（特許文献１などを参照）
【０００３】
この場合、表示板に対して装飾部材に立体感を与えるために、たとえば金属調の光沢を有する表面処理を合成樹脂にて成形した装飾部材の表面に施すように構成したり、あるいは金属材料からなる装飾部材の表面を鏡面仕上げを施したり、装飾部材の表面に金属メッキ処理、たとえばクロムメッキを施して構成するようにしている。
【特許文献１】特開２００１−３４３２５９号公報
【発明の開示】
【発明が解決しようとする課題】
【０００４】
ところで、装飾部材を表示板上に配設することによって装飾効果は得られるものの、たとえば発光指針の構成の場合にあっては、指針の指示部先端から出射した光が、また表示板に施した指標部を透過照明する際の光などが装飾部材の内周面側の側面に当たり、その反射によって装飾部材の内周面側の側面が部分的に発光しているように見えてしまうという問題点を有しており、計器装置の商品性を低下させてしまうという問題がある。
【０００５】
この点、特許文献１にあっては、装飾部材と表示板上の指標部を含む表示領域との間に遮光部材を配設することにより、装飾性を保った状態にて発光指針の指示部から出射した光りや、表示板上の指標部から洩れ出た透過照明光などがたとえば黒色など合成樹脂からなる遮光部材によって反射光が抑制され、これによって反射によるぎらつきを防ぐことができるという効果がある。
【０００６】
しかしながら、特許文献１では、装飾部材に加えて、光りの反射を抑制するための専用部品である遮光部材を追加する必要があり、部品コストが高くなりやすいという問題点が残されている。
【０００７】
そこで本発明は、前述の課題に対して対処するため、新たに部品を追加することなく、装飾部材に照射される光の反射を抑えて視認性あるいは商品性の低下を抑制し得る計器装置を提供することを目的とする。
【課題を解決するための手段】
【０００８】
本発明は上記目的を達成するため、以下の技術的手段を採用する。
【０００９】
本発明は前述した課題を解決するため、請求項１に記載の計器装置では、ケースに組み付けられる回路基板と、この回路基板あるいは前記ケースに組み付けられる計器本体と、この計器本体に設けられた駆動軸の先端側に装着される指針と、この指針によって指示される指標部を有する表示板と、前記指針の作動領域を取り巻くように前記表示板の前面側に配置される光反射性のリング状の装飾部材と、前記回路基板上に実装され、前記指針を発光照明する光源と、を備えた計器装置において、前記装飾部材は、視認者から正面視する表面側に設けられた目視側前面部と、前記指標部側に位置する内側立ち上がり壁部と、前記指標部側とは反対側に面した外側立ち上がり壁部と、前記表示板上に設置される載置面部とからなり、前記内側立ち上がり壁部が前記載置面部と前記内側立ち上がり壁部とのなす角度が鈍角に設定されていること特徴としている。
【００１０】
上述の構成によれば、光源からの照射光線によって照明される発光指針からの漏れ出た光の一部が装飾部材の指標部側に位置する内側立ち上がり壁部に当たったとしても、その内側立ち上がり壁部が装飾部材の載置面部と内側立ち上がり壁部とのなす角度を鈍角に設定することによって、視認者の視線方向に直接反射光が入ることがないため、スポット的に明るくなるといった従来の問題点を未然に解決することができる。この際、内側立ち上がり壁部に当たって反射した光線のほとんどが視線方向に向けて進むことなく表示板側へと反射されながら導かれるために部分的に明るくなって視認されるということを未然に防ぐことができる。
【００１１】
また請求項２に記載の計器装置では、ケースに組み付けられる回路基板と、この回路基板あるいは前記ケースに組み付けられる計器本体と、この計器本体に設けられた駆動軸の先端側に装着される指針と、この指針によって指示される指標部を有する表示板と、前記指針の作動領域を取り巻くように前記表示板の前面側に配置される光反射性のリング状の装飾部材と、前記回路基板上に実装され、前記表示板の背後側から前記指標部を透過照明する光源と、を備えた計器装置において、前記装飾部材は、視認者から正面視する表面側に設けられた目視側前面部と、前記指標部側に位置する内側立ち上がり壁部と、前記指標部側とは反対側に面した外側立ち上がり壁部と、前記表示板上に設置される載置面部とからなり、前記内側立ち上がり壁部が前記載置面部と前記内側立ち上がり壁部とのなす角度が鈍角に設定されていること特徴としている。
【００１２】
上述の構成によれば、光源からの照射光線によって表示板の背後側から透過照明される指標部から洩れ出た光の一部が装飾部材の指標部側に位置する内側立ち上がり壁部に当たったとしても、その内側立ち上がり壁部が装飾部材の載置面部と内側立ち上がり壁部とのなす角度を鈍角に設定することによって、視認者の視線方向に直接反射光が入ることがないため、スポット的に明るくなるといった従来の問題点を未然に解決することができる。この際、内側立ち上がり壁部に当たって反射した光線のほとんどが視線方向に向けて進むことなく表示板側へと反射されながら導かれるために部分的に明るくなって視認されるということを未然に防ぐことができる。
【００１３】
また請求項３に記載の計器装置では、ケースに組み付けられる回路基板と、この回路基板あるいは前記ケースに組み付けられる計器本体と、この計器本体に設けられた駆動軸の先端側に装着される指針と、この指針によって指示される指標部を有する表示板と、前記指針の作動領域を取り巻くように前記表示板の前面側に配置される光反射性のリング状の装飾部材と、前記回路基板上に実装され、前記表示板の前記指標部を透過照明する光源および前記指針を発光照明する光源と、を備えた計器装置において、前記装飾部材は、視認者から正面視する表面側に設けられた目視側前面部と、前記指標部側に位置する内側立ち上がり壁部と、前記指標部側とは反対側に面した外側立ち上がり壁部と、前記表示板上に設置される載置面部とからなり、前記内側立ち上がり壁部が前記載置面部と前記内側立ち上がり壁部とのなす角度が鈍角に設定されていること特徴としている。
【００１４】
上述の構成によれば、光源からの照射光線によって照明される発光指針からの漏れ出た光の一部が装飾部材の指標部側に位置する内側立ち上がり壁部に当たったとしても、また光源からの照射光線によって表示板の背後側から透過照明される指標部から洩れ出た光りの一部が装飾部材の指標部側に位置する内側立ち上がり壁部に当たったとしても、その内側立ち上がり壁部が装飾部材の載置面部と内側立ち上がり壁部とのなす角度を鈍角に設定することによって、視認者の視線方向に直接反射光が入ることがないため、スポット的に明るくなるといった従来の問題点を未然に解決することができる。この際、内側立ち上がり壁部に当たって反射した光線のほとんどが視線方向に向けて進むことなく表示板側へと反射されながら導かれるために部分的に明るくなって視認されるということを未然に防ぐことができるものである。
【００１５】
また請求項４では、請求項１乃至請求項３のいずれかに記載の計器装置において、前記装飾部材には、前記目視側前面部と前記内側立ち上がり壁部との交点箇所に位置して前記目視側前面とほぼ同一平面上に鍔部が一体成形されていることを特徴としている。
【００１６】
上述の構成によれば、鍔部によって装飾部材の内側立ち上がり壁部が奥まった位置に配置されるため、指針や表示板上の指標部から洩れ出た光が内側立ち上がり壁部に当たったとしても鍔部によって視認者の視線方向に反射してくる反射光を遮ることができるものである。
【００１７】
また請求項５では、請求項１乃至請求項４のいずれかに記載の計器装置において、前記表示板の背面側には、前記表示板に所定の間隔を配して設けられた透孔から前記表示板上へ突出する凸目盛部を備えた導光部材が配置されるとともに、その凸目盛部は前記装飾部材の内側立ち上がり壁部に近接配置されていることを特徴としている。
【００１８】
上述の構成によれば、表示板上に配置された装飾部材と、装飾部材と近接して配置される凸目盛部と、表示板面上に設けられる指標部との配設位置によって、凸目盛部および装飾部材による立体感と表示板上の指標部による奥行き感とが重なりあって視認性を優れたものとすることができ、立体感を高めることができる。
【００１９】
また請求項６では、請求項５に記載の計器装置において、前記内側立ち上がり壁部の端面側からスリットが切り込み形成され、このスリットに前記凸目盛部の少なくとも一部が挿入配置されていることを特徴としている。
【００２０】
上述の構成によれば、装飾部材の目視側前面部の領域の一部に凸目盛部が配置されるため、凸目盛部および装飾部材による立体感に加えて見映えを高めることができる。
【００２１】
また請求項７では、請求項１乃至請求項６のいずれかに記載の計器装置において、前記表示板は、前記指針が回動指示する領域である前記表示板の板面の中央部が凹み、前記表示板の板面の外周部が視認者側へと突出するように成形され、前記中央部と前記外周部との間を略垂直となる立ち壁部とによって繋がるように成形された段差状の前記表示板であって、前記立ち壁部と隣接して前記装飾部材が配設されていることを特徴としている。
【００２２】
上述の構成によれば、装飾部材と段差状の表示板との組み合わせにより、表示板の板面の中央部が奥まった位置に、表示板の板面の外周部が前面側すなわち視認者側に配置されるため、奥行き感がさらに助長されるものである。
【発明の効果】
【００２３】
本発明では、指針の作動領域を取り巻くように表示板の前面側に光反射性のリング状の装飾部材が配設され、その装飾部材は、視認者から正面視する表面側に設けられた目視側前面部と、表示板に施された指標部側に位置する内側立ち上がり壁部と、指標部側とは反対側に面した外側立ち上がり壁部と、表示板上に設置される載置面部とからなり、内側立ち上がり壁部が載置面部と内側立ち上がり壁部とのなす角度が鈍角に設定されていることを特徴とする計器装置であるため、光源からの照射光線によって照明される発光指針からの漏れ出た光の一部が装飾部材の指標部側に位置する内側立ち上がり壁部に当たったとしても、また光源からの照射光線によって表示板の背後側から透過照明される指標部から洩れ出た光の一部が装飾部材の指標部側に位置する内側立ち上がり壁部に当たったとしても、その内側立ち上がり壁部が装飾部材の載置面部と内側立ち上がり壁部とのなす角度を鈍角に設定することによって、視認者の視線方向に直接反射光が入ることがないため、スポット的に明るくなるといった従来の問題点を未然に解決することができる。この際、内側立ち上がり壁部に当たって反射した光線のほとんどが視線方向に向けて進むことなく表示板側へと反射されながら導かれるために部分的に明るくなって視認されるということを防ぐことができるものであり、これにより初期の目的を達成することができる。
【発明を実施するための最良の形態】
【００２４】
本発明の対象とする計器装置として、車両用の指示計器に適用した実施例として説明する。
【実施例１】
【００２５】
本発明の第１実施例を図１から図４に示す。この種の計器装置として、中央に速度計からなる指示計器と、右側に回転計からなる指示計器と、左側に燃料計や温度計からなる指示計器と、液晶表示素子などからなる走行距離表示器やギヤポジション表示器や各種車両などの状態を表示する検出表示器などが配置され、それぞれが計器ケース１に組み付け固定されている。
【００２６】
この場合、図１の中央に位置した速度計からなる指示計器にあっては、図２に示すように、指示計器の計器本体２に設けられた指針軸３の先端側に、指針軸３を軸芯として回転する指針４が圧入固定されている。また、回転計からなる指示計器にあっては、図３に示すように、速度計と同様にして指示計器の計器本体２に設けられた指針軸３の先端側に、指針軸３を軸芯として回転する指針４が圧入固定されている。
【００２７】
この実施例における指針構造としては、透明な合成樹脂たとえばアクリル樹脂にて形成された発光指針４が用いられており、指針の基部側から照明光を受光し、発光指針４の指示部４ａへと導光して指示部４ａを発光するようにしており、発光指針の基部側には、受光した光線が外部へと洩れ出ないように遮光性の指針キャップ４ｂによって覆っている。
【００２８】
また各指示計器（速度計・回転計・燃料計・温度計）の指針４の背後側には、目盛５ａや数字５ｂ，文字や記号５ｃなどからなるそれぞれの指標部５が施された一枚基板からなる表示板６が配設されている。この実施例では、指標部５は透過性の印刷層を表示板６上に印刷などの手段によって形成され、また指標部５以外の表示板６箇所は不透過印刷層によって地色部が印刷などの手段によって形成されている。
【００２９】
また表示板６の背面側に位置してガラスエポキシ系基材に配線パターン（図示せず）を施した硬質の回路基板７が設けられ、この回路基板７と表示板６との間に合成樹脂製からなる計器ケース１の一部を形成するライトケース１ａが配設されている。
【００３０】
また回路基板７上には、ライトケース１ａ内に臨んで表示板６に設けられた目盛５ａ・数字５ｂ・文字や記号５ｃなどの指標部５を透過照明したり、液晶表示素子などを透過照明するための光源（発光ダイオード９）と、指針４を発光照明するための指針用光源（発光ダイオード８）とが実装されている。なお、回路基板７の背後側には計器本体２が組み付け固定されており、計器本体２の指針軸３が回路基板７を貫通して表示板６に臨むように配設されている。
【００３１】
また、表示板６の前面側には表示板６の周りと計器ケース１との隙間部分を目隠しする見返し部材１０が配設され、この見返し部材１０の前面開放側には指示計器類などの上面側から塵埃などが入らないように合成樹脂材料からなる透視可能なカバープレート１１によって覆って構成しており、計器ケース１の背面側には回路基板７を覆うアンダーカバーとなる蓋体１２が設けられている。
【００３２】
また、第１実施例による計器装置にあっては、表示板６上に施された各指示計器の指標部５の外郭を取り巻くようにリング形状からなる合成樹脂製の装飾部材１３が各指示計器の表示領域に合わせてそれぞれ表示板６上に配置されて固定保持されている。この場合、合成樹脂製の装飾部材１３の表面にはたとえばクロームメッキが施され金属調の鏡面光沢が得られるように形成されている。
【００３３】
また、表示板６上に配置される装飾部材１３は、断面略四角形状に形成されており、観察者から正面視する表面側に設けられた目視側前面部１３ａと、表示板６上の指標部５側に位置する内側立ち上がり壁部１３ｂと、指標部５側とは反対側に面した外側立ち上がり壁部１３ｃと、表示板５上に設置される載置面部１３ｄとからなり、この第１実施例では、内側立ち上がり壁部１３ｂが載置面部１３ｄと内側立ち上がり壁部１３ｂとのなす角度を鈍角に設定している。
【００３４】
またこの実施例にあっては、装飾部材１３の裏面側である載置面部１３ｄから所定の間隔を配して複数の固定用ピン１３ｅが一体に設けられている。そして、表示板６に設けられた固定穴６ａに固定用ピン１３ｅを挿入し、固定用ピン１３ｅの下端側を熱溶着することによって装飾部材１３と表示板６とを固定保持するようにしている。なお、装飾部材１３の固定手段としては固定用ピンを表示板６に対して圧入固定したり、弾性爪によってフック止めしても良いものであり、接着剤を塗布することによって固定保持するようにしても良く、その方法は任意である。
【００３５】
上記構成からなる第１実施例による計器装置にあっては、指標部５を施した表示領域の外郭周縁箇所にクロームメッキによる金属調からなる装飾部材１３を配設することによって本来のねらいである表示板６に立体感が得られるとともに、計器装置の装飾性を高めることができ、見映えをも良好にすることが可能となる。
【００３６】
また、光源による照明時においては、光源８の点灯によって発光指針４の指示部４ａが明るく照らし出されるものであり、この際、指示部４ａの先端側から出射した光の一部が装飾部材１３の指標部５側に位置する内側立ち上がり壁部１３ｂに当たって反射したとしても、その内側立ち上がり壁部１３ｂが装飾部材１３の載置面部１３ｄと内側立ち上がり壁部１３ｂとのなす角度を鈍角に設定することによって、視認者の視線方向に直接反射光が入ることがないため、スポット的に明るくなるといった従来の問題点を未然に解決することができる。
【００３７】
また、光源９の点灯によって直接あるいはライトケース１ａを介して表示板６上の指標部５が透過照明される。この際、透過照明された指標部５からの光の一部が装飾部材１３の指標部５側に位置する内側立ち上がり壁部１３ｂに当たったとしても、その内側立ち上がり壁部１３ｂが装飾部材１３の載置面部１３ｄと内側立ち上がり壁部１３ｂとのなす角度を鈍角に設定することによって、視認者の視線方向に直接反射光が入ることがないため、スポット的に明るくなるといった従来の問題点を未然に解決することができる。この際、内側立ち上がり壁部１３ｂに当たって反射した光線のほとんどが視線方向に向けて進むことなく表示板６側へと反射されながら導かれるために部分的に眩しく光ることもないため、見やすい計器装置を提供することができる。なお、表示板６上の地色部の色合いを黒色などの濃い色合いからなる不透過による印刷層を施すことにより、内側立ち上がり壁部１３ｂから反射してきた光線が吸収しやすくなるため、さらなる効果を得ることが可能である。
【実施例２】
【００３８】
図５から図８は本発明の第２実施例を示す。この第２実施例における表示板６は、一枚基板からなり、速度計・回転計・燃料計・温度計などのそれぞれの指針４が回動指示する領域である表示板６の板面の中央部が凹んだ中央部側平面部６０ａと、表示板６の板面の外周部が視認者側へと突出するように成形される外周側平面部６０ｂと、中央部側平面部６０ａと外周側平面部６０ｂとの間を略垂直となる立ち壁部６０ｃとによって繋がるように段差状に成形されている。なお、表示板６の曲げ加工は真空成形，プレス成形，圧空成形など如何なる方法を用いて成形しても良い。
【００３９】
表示板６の表面には、中央部側平面部６０ａ上に速度計・回転計・燃料計・温度計などに係わる透過照明可能な目盛５ａや数字５ｂ，文字や記号５ｃなどからなるそれぞれの指標部５が施されるものであり、場合によっては目盛５ａや数字５ｂ，文字や記号５ｃなどの一部のみを施して指標部５を形成することもある。
【００４０】
また、段差状の表示板６の前面側には、表示板６の立ち壁部６０ｃに沿うように隣接してリング形状からなる装飾部材１３が中央部側平面部６０ａ上に配設されている。この場合、合成樹脂製の装飾部材１３の表面にはたとえばメタリックインクが施されており、そのメタリックインクの表面にはリング形状と同心円状に細かいヘアラインの模様を施すことによって表面金属調の光沢が得られるように形成している。
【００４１】
また表示板６の背面側には、表示板６に所定の間隔を配して設けられた透孔６ｂから表示板６の表面上へと突出する凸目盛部１４を備えた導光部材１５が配置されるとともに、その凸目盛部１４は内側立ち上がり壁部１３ｂに近接した位置に配置されている。なお、導光部材１５は光源９からの照射光線を受光し、凸目盛部１４へと導光案内することができるように設けられている。
【００４２】
装飾部材１３は、前述した第１実施例とほとんど同様な形状に構成されているものであり、ここでは表示板６上に配置される装飾部材１３は、断面略四角形状に形成されており、観察者から正面視する表面側に設けられた目視側前面部１３ａと、表示板６上の指標部５側に位置する内側立ち上がり壁部１３ｂと、指標部５側とは反対側に面した外側立ち上がり壁部１３ｃと、表示板５上に設置される載置面部１３ｄとからなり、この第２実施例では、目視側前面部１３ａの高さ位置として表示板６の外周側平面部６０ｂとほぼ同一平面領域から表示板６の中央部側に向けて緩やかに傾斜する傾面によって目視側前面部１３ａが形成されている。また、内側立ち上がり壁部１３ｂは前述した第１実施例とほぼ同様にして載置面部１３ｄと内側立ち上がり壁部１３ｂとのなす角度を鈍角に設定されている。
【００４３】
また、第２実施例における凸目盛部１４の高さ寸法は、表示板６の中央部側平面部６０ａ側に位置した目視側前面部１３ａの高さ寸法より低い高さに設定しており、凸目盛部１４の表面は鏡面仕上げであり、平坦面に形成されている。
【００４４】
またこの実施例にあっては、装飾部材１３の裏面側である載置面部１３ｄから所定の間隔を配して複数の固定用ピン１３ｅが一体に設けられている。そして、表示板６に設けられた固定穴６ａおよび導光部材１５に設けられた固定用穴１５ａに固定用ピン１３ｅを挿入し、固定用ピン１３ｅの下端側を熱溶着することによって装飾部材１３と表示板６および導光部材１５との三者を固定保持するようにしている。
【００４５】
上記構成からなる第２実施例における計器装置にあっては、指標部５を施した表示領域の外郭周縁箇所にメタリックインクを表面に施すことによって金属調からなる装飾部材１３を配設することによって本来のねらいである表示板６に立体感が得られるとともに、計器装置の装飾性を高めることができ、見映えをも良好にすることが可能となるものであり、装飾部材１３と段差状の表示板６との組み合わせにより、表示板６の板面の中央部側平面部６０ａが奥まった位置に、表示板６の板面の外周部平面部６０ｂが前面側すなわち視認者側に突出するように配置されるため、奥行き感がさらに助長されるものである。
【００４６】
また金属調からなるリング状の装飾部材１３と隣接して導光部材１５から一体に突出した凸目盛部１４が配設されるため、表示板６の段差と装飾部材１３の高さの変化と突出した凸目盛部１４との高さの変化によって奥行き感が得られるものであり、立体的な表示板６による計器装置を提供することができ、装飾性を高めたり、見映えを良好にすることができるという効果がある。
【００４７】
また、光源による照明時においては、光源８の点灯によって発光指針４の指示部４ａが明るく照らし出されるものであり、この際、前述した第１実施例と同様にして、指示部４ａの先端側から出射した光の一部が装飾部材１３の指標部５側に位置する内側立ち上がり壁部１３ｂに当たって反射したとしても、その内側立ち上がり壁部１３ｂが装飾部材１３の載置面部１３ｄと内側立ち上がり壁部１３ｂとのなす角度を鈍角に設定することによって、視認者の視線方向に直接反射光が入ることがないため、スポット的に明るくなるといった従来の問題点を未然に解決することができる。
【００４８】
また、光源９の点灯によって直接あるいはライトケース１ａや導光部材１５を介して表示板６上の指標部５が透過照明される。この第２実施例においても前述した第１実施例と同様にして、透過照明された指標部５からの光の一部が装飾部材１３の指標部５側に位置する内側立ち上がり壁部１３ｂに当たったとしても、その内側立ち上がり壁部１３ｂが装飾部材１３の載置面部１３ｄと内側立ち上がり壁部１３ｂとのなす角度を鈍角に設定することによって、視認者の視線方向に直接反射光が入ることがないため、スポット的に明るくなるといった従来の問題点を未然に解決することができる。この際、内側立ち上がり壁部１３ｂに当たって反射した光線のほとんどが視線方向に向けて進むことなく表示板６側へと反射されながら導かれるために部分的に眩しく光ることもないため、見やすい計器装置を提供することができる。なお、表示板６上の地色部の色合いを黒色などの濃い色合いからなる不透過による印刷層を施すことにより、内側立ち上がり壁部１３ｂから反射してきた光線が吸収しやすくなるため、さらなる効果を得ることが可能である。
【００４９】
また、光源９によって導光部材１５に入光した光線の一部は、凸目盛部１４側へと導かれ凸目盛部１４が発光して照明表示される。これにより凸目盛部１４と表示板６の表面上に施されて透過照明される指標部５との前後方向の奥行き感によって立体的に照明表示することができる。
【００５０】
この際、凸目盛部１４の照明時において、凸目盛部１４から洩れ出た光の一部が装飾部材１３の内側立ち上がり壁部１３ｂに当たって反射したとしても、これも同様にして視線方向に向けて進んでくる反射光線を抑えることができる。
【実施例３】
【００５１】
図９から図１３は、本発明の第３実施例を示す。この第３実施例における表示板６は、前述した第２実施例と同様にして一枚基板からなり、速度計・回転計・燃料計・温度計などのそれぞれの指針４が回動指示する領域である表示板６の板面の中央部が凹んだ中央部側平面部６０ａと、表示板６の板面の外周部が視認者側へと突出するように成形される外周側平面部６０ｂと、中央部側平面部６０ａと外周側平面部６０ｂとの間を略垂直となる立ち壁部６０ｃとによって繋がるように段差状に成形されている。
【００５２】
表示板６の表面には、中央部側平面部６０ａ上に速度計・回転計・燃料計・温度計などに係わる透過照明可能な目盛５ａや数字５ｂ，文字や記号５ｃによる指標部５が適宜施されるものであり、場合によっては目盛５ａや数字５ｂ，文字や記号５ｃなどの一部のみを施して指標部５を形成することもある。
【００５３】
また、段差状の表示板６の前面側には、表示板６の立ち壁部６０ｃと隣接してリング形状からなる装飾部材１３が中央部側平面部６ｂ上に配設されている。この場合、合成樹脂製の装飾部材１３の表面には第２実施例と同様にしてメタリックインクが施されており、そのメタリックインクの表面にはリング形状と同心円状に細かいヘアラインの模様を施すことによって表面金属調の光沢が得られるように形成している。
【００５４】
また装飾部材１３の内側立ち上がり壁部１３ｂの端面側には目盛に対応する位置に合わせてスリット１３ｆが切り込んで設けられており、この切り込んで設けられたスリット１３ｆ位置およびスリット１３ｆ位置から指針軸３方向に向けて表示板６に透孔６ｂが形成されている。この場合、それぞれのスリット１３ｆの切り込みの方向としては指針４の回動中心部を基点として放射方向に延びて形成されている。
【００５５】
また表示板６の背面側には、表示板６に所定の間隔を配して設けられた透孔６ｂから表示板６の表面上へと突出する凸目盛部１４を備えた導光部材１５が配置されている。なお、導光部材１５は光源９からの照射光線を受光し、凸目盛部１４へと導光案内することができるように設けられており、凸目盛部１４の表面は鏡面仕上げであり、平坦状の壁面によって形成されている。
【００５６】
装飾部材１３は、前述した各実施例とほとんど同様な形状に構成されているものであり、ここでは表示板６上に配置される装飾部材１３は、断面略四角形状に形成されており、視認者から正面視する表面側に設けられた目視側前面部１３ａと、表示板６上の指標部５側に位置する内側立ち上がり壁部１３ｂと、指標部５側とは反対側に面した外側立ち上がり壁部１３ｃと、表示板５上に設置される載置面部１３ｄとからなり、この第２実施例では、目視側前面部１３ａの高さ位置として表示板６の外周側平面部６０ｂとほぼ同一平面領域から表示板６の中央部側に向けて緩やかに傾斜する傾面によって目視側前面部１３ａが形成されている。また、内側立ち上がり壁部１３ｂは前述した各実施例とほぼ同様にして載置面部１３ｄと内側立ち上がり壁部１３ｂとのなす角度が鈍角に設定されている。
【００５７】
また、第３実施例における凸目盛部１４の高さ寸法は、表示板６の中央部側平面部６ｂ側に位置した目視側前面部１３ａの高さ寸法とほぼ同等あるいは若干高い寸法となるように設定している。なお、凸目盛部１４による壁部は、指針４の回動中心部を基点として放射方向に延びて形成され、装飾部材１３に設けられた切り込みからなるスリット１３ｆの位置に突出した壁部からなる凸目盛部１４の一部の壁部箇所が配置されるように設けられており、他の凸目盛部１４の壁部箇所は表示板６上の指標部５側に向かって延びるように形成されている。
【００５８】
上記構成からなる第３実施例における計器装置にあっては、前述した第２実施例と同様にして指標部５を施した表示領域の外郭周縁箇所にメタリックインクを表面に施すことによって金属調からなる装飾部材１３を配設することによって本来のねらいである表示板６に立体感が得られるとともに、計器装置の装飾性を高めることができ、見映えをも良好にすることが可能となるものであり、装飾部材１３と段差状の表示板６との組み合わせにより、表示板６の板面の中央部側平面部６０ａが奥まった位置に、表示板６の板面の外周部平面部６０ｂが前面側すなわち視認者側に突出するように配置されるため、奥行き感がさらに助長されるものである。
【００５９】
また金属調からなるリング状の装飾部材１３と隣接して導光部材１５から一体に突出した凸目盛部１４が配設されるため、表示板６の段差と装飾部材１３の高さの変化と突出した凸目盛部１４との高さの変化によって奥行き感が得られ、立体的な表示板６による計器装置を提供することができ、装飾性を高めたり、見映えを良好にすることができるという効果がある。加えて、リング状の装飾部材１３に目盛に対応する箇所にスリット１３ｆを設け、そのスリット１３ｆ箇所に壁状からなる凸目盛部１４の一部を配設することにより、金属調の装飾部材１３と透明な壁部からなる凸目盛部１４との組み合わせによって立体感と高級感を醸しだしながら質感を高めることができ、表示板６上の見映えも良好とし得るものである。
【００６０】
また、光源による照明時においては、光源８や光源９の点灯によって表示板６上の指標部５の透過照明による光の一部が装飾部材１３の内側立ち上がり壁部１３ｂに当たって反射したとしても、また発光指針４の指示部４ａＡからの漏れ光が装飾部材１３の内側立ち上がり壁部１３ｂに当たって反射したとしても、その内側立ち上がり壁部１３ｂが装飾部材１３の載置面部１３ｄと内側立ち上がり壁部１３ｂとのなす角度を鈍角に設定することによって、観察者の視線方向に直接反射光が入ることがないため、スポット的に明るくなるといった従来の問題点を未然に解決することができる。この際、内側立ち上がり壁部１３ｂに当たって反射した光線のほとんどが視線方向に向けて進むことなく表示板６側へと反射されながら導かれるために部分的に眩しく光ることもないため、見やすい計器装置を提供することができる。なお、表示板６上の地色部の色合いを黒色や紺色などの濃い色合いからなる不透過による印刷層を施すことにより、内側立ち上がり壁部１３ｂから反射してきた光線が吸収しやすくなるため、さらなる効果を得ることが可能である。
【００６１】
また、光源８によって導光部材１５に入光した光線の一部によって凸目盛部１４側へと導かれ、凸目盛部１４が発光して照明表示される。これにより凸目盛部１４の照明表示と段差状に形成された表示板６の表面上に施されて透過照明される指標部５との前後方向の奥行き感によって立体的に照明表示することができる。この際、凸目盛部１４の照明時において、凸目盛部１４から洩れ出た光の一部が装飾部材１３の内側立ち上がり壁部１３ｂに当たって反射したとしても、これも同様にして視線方向に向けて進んでくる反射光線を抑えることができる。また、リング状の装飾部材１３に目盛に対応する箇所に切り込みからなるスリット１３ｆが設けられ、そのスリット１３ｆ箇所に壁状からなる凸目盛部１４の一部が配設された箇所においては、その凸目盛部１４から一部が洩れ出たとしても壁状からなる凸目盛部１４の回りに位置したスリット１３ｆの立ち壁部箇所に部分的に照射されるものであるため支障を来す虞もないものであり、場合によっては、スリット１３ｆの立ち壁部に反射された光線が壁状からなる凸目盛部１４へと新たに入光して凸目盛部１４を照明表示することで明るく凸目盛部１４が照らし出されるという効果も期待できる。
【００６２】
本発明は、前述した実施例に限定されるものではなく本発明の要旨の範囲内において種々の変形実施が可能である。たとえば、各実施例においては、表示板上６に配置されるリング状の装飾部材１３の形状として断面略四角形状に形成し、その装飾部材１３は、視認者から正面視する表面側に設けられた目視側前面部１３ａと、表示板６上の指標部側に位置する内側立ち上がり壁部１３ｂと、指標部側５とは反対側に面した外側立ち上がり壁部１３ｃと、表示板６上に設置される載置面部１３ｄとからなり、内側立ち上がり壁部１３ｂが載置面部１３ｄと内側立ち上がり壁部１３ｂとのなす角度を鈍角に設定する基本的な構成のみを詳述していたが、たとえば装飾部材１３の実施態様例として図１４に示すように、装飾部材１３には、目視側前面部１３ａと内側立ち上がり壁部１３ｂとの交点箇所に位置して目視側前面部１３ａとほぼ同一平面上にして鍔部１３ｇを一体に突き出し成形することによって、装飾部材１３の内側立ち上がり壁部１３ｂが奥まった位置に配置されるものであり、指針４や表示板６上の指標部５から洩れ出た光が内側立ち上がり壁部１３ｂに当たったとしても鍔部１３ｇによって視認者の視線方向に反射してくる反射光をさらに遮ることができるものである。また、リング状の装飾部材１３として各実施例では環状に繋がった装飾部材１３を例にして説明していたが、半円形状からなるリング状の装飾部材１３であっても同様な効果を得ることができるものである。また、装飾部材１３として合成樹脂にて成形して構成していたが、金属製によるリング形状の装飾部材１３によって形成しても良いものであり、また装飾部材１３の表面仕上げとして印刷のみならず塗装、蒸着などの表面処理によって光沢のある鏡面仕上げにて処理したり、ヘアラインによる細かい凹凸仕上げにて処理したり、金属調の艶消し処理など形状や色合いなどとの組み合わせによって装飾部材１３の質感、たとえば奥行き感、立体感あるいは金属調の質感を強調することも可能である。
【００６３】
また、各実施例においては、装飾部材１３の内側立ち上がり壁部１３ｂは、載置面部１３ｄと内側立ち上がり壁部１３ｂとのなす角度を鈍角に設定することによって反射光を抑制するように構成していたが、この鈍角に加えて、内側立ち上がり壁部１３ｂを正面視において視認できない鈍角による角度に設定することが望ましい。これにより、計器装置の前面側から視認する際に反射面となっていた内側立ち上がり壁部１３ｂの壁面が見えない状態となり、反射光を未然に防ぐことが可能となる。
【産業上の利用可能性】
【００６４】
また、前述した実施例などにおいて詳述したように、車両用の指示計器を例にして計器装置を説明したが、車両用計器に限らず船舶用計器あるいは農業機械の計器などにおいても適用することが可能である。
【図面の簡単な説明】
【００６５】
【図１】図１は、本発明の第１実施例における計器装置を示す正面図である。
【図２】図２は、図１の速度計からなる計器装置の要部を示す断面図である。
【図３】図３は、図１の回転計からなる計器装置の要部を示す断面図である。
【図４】図４は、図３の要部を示す拡大断面部である。
【図５】図５は、本発明の第２実施例における計器装置を示す正面図である。
【図６】図６は、図５の計器装置の要部を示す断面図である。
【図７】図７は、図６の要部を示す拡大断面図である。
【図８】図８は、図６の要部を示す拡大断面図である。
【図９】図９は、本発明の第３実施例における計器装置を示す正面図である。
【図１０】図１０は、図９の計器装置の要部を示す断面図である。
【図１１】図１１は、図１０の要部を示す拡大断面図である。
【図１２】図１２は、図１０の要部を示す拡大断面図である。
【図１３】図１３は、図９の要部を示す拡大断面図である。
【図１４】図１４は、装飾部材の実施態様例を示す拡大断面図である。
【符号の説明】
【００６６】
１    計器ケース
１ａ    ライトケース
２    計器本体
３    指針軸
４    発光指針
４ａ    指示部
４ｂ    指針キャップ
５    指標部
６    表示板
６ａ    固定穴
６ｂ    透孔
７    回路基板
８    指針用光源（発光ダイオード）
９    光源（発光ダイオード）
１０    見返し部材
１１    カバープレート
１２    蓋体
１３    装飾部材
１３ａ    目視側前面部
１３ｂ    内側立ち上がり壁部
１３ｃ    外側立ち上がり壁部
１３ｄ    載置面部
１３ｅ    固定用ピン
１３ｆ    スリット
１３ｇ    鍔部
１４    凸目盛部
１５    導光部材
１５ａ    固定用穴
６０ａ    中央部側平面部  
６０ｂ    外周側平面部
６０ｃ    立ち壁部
【図１】
2010085180.tif 000003
【図２】
2010085180.tif 000004
【図３】
2010085180.tif 000005
【図４】
2010085180.tif 000006
【図５】
2010085180.tif 000007
【図６】
2010085180.tif 000008
【図７】
2010085180.tif 000009
【図８】
2010085180.tif 000010
【図９】
2010085180.tif 000011
【図１０】
2010085180.tif 000012
【図１１】
2010085180.tif 000013
【図１２】
2010085180.tif 000014
【図１３】
2010085180.tif 000015
【図１４】
2010085180.tif 000016